(57)【特許請求の範囲】
【請求項１】
フード体１内を仕切板１０と縦向きのフィルター１１によって吸込部１２と排出部１３に区画し、排出部１３に送風機１４を、その入口１８が前記フィルター１１と対向して設けたレンジフードにおいて、
前記フィルター１１の上部に洗浄液を落下供給する手段と、前記フィルター１１に沿って流れ落ちた洗浄液を受ける洗浄液受け皿３０と、前記フード体１の排出部１３における送風機１４の入口１８よりもフィルター１１寄りに設けられて排出部１３に吸引された洗浄液が衝突する防水板を設け、この防水板に衝突した洗浄液は、前記洗浄液受け皿３０に落下するように構成し、
前記防水板は、送風機１４のファンケース１５の入口１８側面に取付けられ、フード体１の側面板５と天板６とに接する第１防水板２０と、
前記ファンケース１５の入口１８と間隔を置いて対向し、その入口１８よりも大きな第２防水板２３を有することを特徴としたレンジフードのフィルター清掃装置。
【発明の詳細な説明】
【０００１】
【発明の属する技術分野】
本発明は、調理時に発生する煙り、湯気、臭気、油分等を捕集して外部に排出するレンジフードにおけるフィルターを清掃する装置に関する。
【０００２】
【従来の技術】
従来一般に知られているレンジフードは、フード体の内部にフィルターを取付け、そのフード体内部にフィルターを境として吸込部と排出部を形成し、その排出部に排気用のファンを取付けたものである。
【０００３】
このレンジフードであれば、排気用のファンを駆動することで空気を吸込部より吸込み、その吸込んだ空気をフィルターを通して排出部に吸込み、排気ダクトなどを通して外部に排出することができる。
また、吸込んだ空気中の油分や水蒸気をフィルターで捕集でき、排出ダクトを流れる空気中の油分や水蒸気の量が著しく減少するので、排出ダクト内で油分や水蒸気が結露して排出ダクトより流れ出ることがない。
【０００４】
前述のレンジフードであると、フィルターに油分などが付着し、長期間使用すると付着した油分がフィルターから滴下し、レンジフードの下部、例えばレンジを汚したり、調理中の鍋の中に落下してしまう。このことを防止するにはフィルターを定期的に清掃すれば良い。
【０００５】
しかしフィルターはフード体の内部に取付けてあるし、フード体はレンジの上方位置に取付けてあるので、清掃を忘れがちであり、また気づいた時には長期間を経過している場合がほとんどであり、フィルターに汚れが固着しており、フィルターを清掃することが大変面倒である。
【０００６】
そこで、出願人は先に、フード体内を、縦向きのフィルターによって吸込部と排出部に区画したレンジフードにおいて、前記フィルターに沿って洗浄液を流すことでフィルターを洗浄するフィルター清掃装置を出願した。
【０００７】
【発明が解決しようとする課題】
かかるフィルター清掃装置であると、排出部に設けた送風機によって吸込部の空気がフィルターを通して吸引されるので、フィルターに沿って流れ落ちる洗浄液が空気とともに排出部に吸引されて送風機内に入り込むことがある。
【０００８】
送風機内に洗浄液が入り込むと、その洗浄液は排出ダクトに排出されて排出ダクトの継目等から漏れたり、送風機内に付着残留して耐久性の低下の原因となったり、排出部に吸引された洗浄液がフード体に沿って流れて電気部品に浸入したり、調理台に流れ落ちることがあるから好ましくない。
【０００９】
そこで、本発明は前述の課題を解決できるようにしたレンジフードのフィルター清掃装置を提供することを目的とする。
【００１０】
【課題を解決するための手段】
本発明は、フード体１内を仕切板１０と縦向きのフィルター１１によって吸込部１２と排出部１３に区画し、排出部１３に送風機１４を、その入口１８が前記フィルター１１と対向して設けたレンジフードにおいて、
前記フィルター１１の上部に洗浄液を落下供給する手段と、前記フィルター１１に沿って流れ落ちた洗浄液を受ける洗浄液受け皿３０と、前記フード体１の排出部１３における送風機１４の入口１８よりもフィルター１１寄りに設けられて排出部１３に吸引された洗浄液が衝突する防水板を設け、この防水板に衝突した洗浄液は、前記洗浄液受け皿３０に落下するように構成し、
前記防水板は、送風機１４のファンケース１５の入口１８側面に取付けられ、フード体１の側面板５と天板６とに接する第１防水板２０と、
前記ファンケース１５の入口１８と間隔を置いて対向し、その入口１８よりも大きな第２防水板２３を有することを特徴としたレンジフードのフィルター清掃装置である。
【００１２】
【作用】
本発明によれば、フィルター１１に沿って洗浄液を流すことでフィルター１１に付着した煙り、湯気、臭気、油分などを清掃することができる。
【００１３】
また、送風機１４を駆動することでフィルター１１に沿って流れる洗浄液やフィルター１１に付着した洗浄液が排出部１３に吸引されると、その洗浄液は防水板に衝突して洗浄液受け皿３０に落下する。
【００１４】
これによって、排出部１３に吸引された洗浄液が送風機１４内部に入り込むことがないから、送風機１４内部に溜って耐久性低下の原因となることがないし、排出ダクトの継目等から漏れることがない。また、フード体１に沿って流れた洗浄液が電気部品に浸入することがないし、調理台に落下することもない。
【００１５】
また、排出部１３に吸引された洗浄液は第２防水板２３に衝突し、第２防水板２３に沿って流れて洗浄液受け皿３０に落下する。
前述の第２防水板２３に衝突しなかった洗浄液は第１防水板２０に衝突し、第１防水板２０に沿って流れて洗浄液受け皿３０に落下する。
したがって、排出部１３に吸引された洗浄液はファンケース１５内に入り込むことがなく、全量が洗浄液受け皿３０内に落下して回収される。
【００１６】
【発明の実施の形態】
図１に示すように、フード体１は後側フード体２と、前側フード体３を有する。後側フード体２は後面板４と相対向した一対の側面板５と天板６により下部と前部が開口した箱状となっている。前記前側フード体３は前面板７と、相対向した一対の側面板８と天板９により下部と後部が開口した箱状と成っている。
【００１７】
前記後側フード体２と前側フード体３を連結してフード体１としてある。このフード体１は下部が開口した箱状となっている。
【００１８】
前記後側フード体２の一対の側面板５の下部寄り間に仕切板１０が取付けてある。この仕切板１０と天板６とに亘ってフィルター１１が縦向きに取付けてある。フード体１内はフィルター１１を境として下部に開口した吸込部１２と排出部１３に区画してある。このフィルター１１は板状でスリット状の開口部が上下方向及び左右方向に間隔を置いて複数形成してある。
【００１９】
前記排出部１３内には送風機１４が設けてある。この送風機１４はファンケース１５内にファン１６を設け、そのファン１６を電動モータ１７で駆動するようにしてある。
【００２０】
このようであるから、電動モータ１７によりファン１６を回転すると吸込部１２より空気が吸込まれる。その吸込まれた空気はフィルター１１を通して排出部１３に流れ込む。排出部１３に流れ込んだ空気はファンケース１５の入口１８よりファンケース１５内に吸引され、吐出口１９から排出ダクトに排出される。
【００２１】
前記ファンケース１５の入口１８側面には第１防水板２０が取付けてある。この第１防水板２０は図２に示すように側面板５と天板６とに接すると共に、仕切板１０と若干の隙間を有して対向し、入口１８と対向した穴２１が形成してある。
【００２２】
前記第１防水板２０にはステー２２を介して第２防水板２３が取付けてある。この第２防水板２３は入口１８と同一形状で、かつ入口１８よりも若干大きく、入口１８と間隔を置いて対向して第１防水板２０と第２防水板２３との間に空気経路２４を構成している。
【００２３】
前記仕切板１０には洗浄液受け皿３０が取付けてある。この洗浄液受け皿３０は左右の側面板５間に亘る長さで、この洗浄液受け皿３０内に第１防水板２０の下部が突出している。
【００２４】
前記仕切板１０の下面に洗浄液槽３１が取付けてあり、洗浄液受け皿３０内の洗浄液が排出口３２で洗浄液槽３１内に落下する。
【００２５】
前記天板６に洗浄液樋３３が取付けてある。この洗浄液樋３３と洗浄液受け皿３０とに亘ってフィルター１１が取付けてある。前記仕切板１０の内面に設けた電動ポンプ３４で駆動される洗浄液供給ポンプ３５が設けてある。この洗浄液供給ポンプ３５は洗浄液槽３１内の洗浄液を吸引して洗浄液供給パイプ３６に吐出する。
【００２６】
洗浄液供給パイプ３６によって前記洗浄液樋３３に洗浄液が供給され、洗浄液樋３３内の洗浄液は供給孔３７でフィルター１１の長手方向全長に流れ落ちる。
【００２７】
このようであるから、送風機１４のファン１６が回転している時にフィルター１１に沿って洗浄液が流れると、その洗浄液はフィルター１１のスリット状の開口を通して排出部１３に吸引される。この排出部１３に吸引された洗浄液は第２防水板２３に衝突し、第２防水板２３に沿って流れて洗浄液受け皿３０に落下する。
【００２８】
第２防水板２３に衝突しなかった洗浄液は第１防水板２０に衝突し、第１防水板２０に沿って流れて洗浄液受け皿３０に落下する。
【００２９】
したがって、排出部１３に吸引された洗浄液はファンケース１５内に入り込むことがなく、全量が洗浄液受け皿３０内に落下して洗浄液槽３１内に回収されて再利用される。
【００３０】
以上のように、ファンケース１５内に洗浄液が入り込まないので、ファンケース１５内部に洗浄液が溜まって耐久性低下の原因となることがないし、排出ダクトに排出されることがないから洗浄液が排出ダクトの継目等から漏れることがない。
【００３１】
また、洗浄液は洗浄液受け皿３０に落下するから、フード体に沿って流れて調理台に流れ落ちることがないし、電気部品に浸入したりすることもない。
【００３２】
図３は本発明の第２の実施の形態を示し、第２防水板２３を天板６に取付けてある。
【００３３】
前記フィルター１１を清掃するには、送風機１４の駆動中に電動モータ３４を駆動してフィルター１１に沿って洗浄液を流すようにしても良いし、送風機１４の電動モータ１７への通電を止めてから設定時間経過後に電動モータ３４を駆動してフィルター１１に沿って洗浄液を流すようにしても良い。
【００３４】
いずれにしても、フィルター１１に洗浄液が付着している状態で送風機１４を駆動するとフィルター１１に付着していた洗浄液が排出部１３に吸引されるので、第１・第２防水板２０，２３を設けてファンケース１５内に洗浄液が入り込まないようにする。
【００３５】
【発明の効果】
本発明によれば、フィルター１１に沿って洗浄液を流すことでフィルター１１に付着した煙り、湯気、臭気、油分などを清掃することができる。
【００３６】
また、送風機１４を駆動することでフィルター１１に沿って流れる洗浄液やフィルター１１に付着した洗浄液が排出部１３に吸引されると、その洗浄液は防水板に衝突して洗浄液受け皿３０に落下する。
【００３７】
これによって、排出部１３に吸引された洗浄液が送風機１４内部に入り込むことがないので、送風機１４内部に溜って耐久性低下の原因となることがないし、排出ダクトの継目等から洗浄液が漏れることがない。また、排出部１３に吸引された洗浄液は洗浄液受け皿３０に溜るのでフード体１に沿って流れて電気部品に浸入することがないし、調理台に落下することもない。
【００３８】
また、排出部１３に吸引された洗浄液は第２防水板２３に衝突し、第２防水板２３に沿って流れて洗浄液受け皿３０に落下する。
前述の第２防水板２３に衝突しなかった洗浄液は第１防水板２０に衝突し、第１防水板２０に沿って流れて洗浄液受け皿３０に落下する。
したがって、排出部１３に吸引された洗浄液はファンケース１５内に入り込むことがなく、全量が洗浄液受け皿３０内に落下して回収される。
【図面の簡単な説明】
【図１】本発明の第１の実施の形態を示す縦断面図である。
【図２】防水板取付部の斜視図である。
【図３】本発明の第２の実施の形態を示す縦断面図である。
【符号の説明】
１…フード体、１１…フィルター、１２…吸込部、１３…排出部、１４…送風機、２０…第１防水板、２３…第２防水板、３０…洗浄液受け皿、３１…洗浄液槽、３３…洗浄液樋、３５…洗浄液供給ポンプ。
【図１】
0003743080.tif 000002
【図２】
0003743080.tif 000003
【図３】
0003743080.tif 000004